(57)【要約】【課題】蓄電池の可逆的な特性劣化を回復できる電源システムを提供すること。【解決手段】蓄電池２と、該蓄電池２の充放電を制御する制御部３とを備える。蓄電池２の少なくとも一方の電極４を構成する活物質４０には、電位勾配が相対的に高い高勾配領域ＡHと、該高勾配領域ＡHよりも電位勾配が低い低勾配領域ＡLとがある。蓄電池２は、充電率ＳＯＣが低勾配領域ＡLに対応する低勾配充電率ＳＯＣLであるとき、可逆的な特性劣化が生じ、高勾配充電率ＳＯＣHであるとき、特性劣化が回復する。制御部３は、蓄電池２の充放電を制御することにより、充電率ＳＯＣを低勾配充電率ＳＯＣLから高勾配充電率ＳＯＣHに変化させる。これにより、蓄電池の特性劣化を回復させる。【選択図】図４
2018156744.tif 000002
【特許請求の範囲】
【請求項１】
蓄電池（２）と、
該蓄電池の充放電を制御する制御部（３）とを備え、
上記蓄電池は、それぞれ活物質（４０）を含む、正電極（４P）と負電極（４N）との一対の電極（４）を備え、該一対の電極のうち少なくとも一方の上記電極を構成する上記活物質には、上記蓄電池の充電率（ＳＯＣ）を変化させたときにおける電位（Ｖ）の変化率である電位勾配が相対的に高い高勾配領域（ＡH）と、該高勾配領域よりも上記電位勾配が低い低勾配領域（ＡL）とがあり、
上記蓄電池は、上記充電率が上記低勾配領域に対応する低勾配充電率（ＳＯＣL）であるとき、可逆的な特性劣化が生じ、上記充電率を上記高勾配領域に対応する高勾配充電率（ＳＯＣH）にすると上記特性劣化が回復し、
上記制御部は、上記蓄電池の充放電を制御することにより、上記充電率を上記低勾配充電率から上記高勾配充電率に変化させ、上記特性劣化を回復させる回復処理を行うよう構成されている、電源システム（１）。
【請求項２】
上記蓄電池は、充放電に伴って、金属原子が上記活物質に脱挿入されるよう構成されており、上記蓄電池の可逆的な特性劣化は、上記活物質における上記金属原子の偏りに起因するものである、請求項１に記載の電源システム。
【請求項３】
上記制御部は、上記蓄電池の使用時には、上記充電率を上記低勾配充電率にするよう制御し、上記回復処理を行って上記充電率を上記高勾配充電率にした後、上記充電率を上記低勾配充電率に戻すよう構成されている、請求項１又は２に記載の電源システム。
【請求項４】
上記制御部は、上記蓄電池の充放電量（Ｉｔ）を積算する積算部（３０）を備え、上記制御部は、上記充放電量の積算値（ΣＩｔ）が予め定められた値（ＨTH）を超えた場合に、上記回復処理を行うよう構成されている、請求項１〜３のいずれか一項に記載の電源システム。
【請求項５】
上記一対の電極間の抵抗（Ｒ）を測定する抵抗測定部と、上記蓄電池の温度（Ｔ）を測定する温度センサ（５T）と、上記蓄電池の充放電量を上記抵抗値と上記温度とによって補正し、その補正値（Ｉｔ×Ｒ（Ｔ））を積算する積算部とを備え、上記制御部は、上記補正値の積算値が予め定められた値（ＨTH）を超えた場合に、上記回復処理を行うよう構成されている、請求項１〜３のいずれか一項に記載の電源システム。
【請求項６】
上記蓄電池および上記制御部は車両に搭載されており、上記制御部は、上記車両のイグニッションスイッチがオフになっているときに上記回復処理を行うよう構成されている、請求項１〜５のいずれか一項に記載の電源システム。
【請求項７】
ユーザの操作に伴って回復指示信号（ＳR）を発生する回復指示部（６）を備え、上記制御部は、上記回復指示信号が入力された場合に上記回復処理を行うよう構成されている、請求項１〜６のいずれか一項に記載の電源システム。
【請求項８】
上記蓄電池は、充放電に伴って、金属原子が上記活物質に脱挿入されるよう構成されている、請求項１〜７のいずれか一項に記載の電源システム。
【請求項９】
上記蓄電池はリチウムイオン二次電池である、請求項８に記載の電源システム。
【請求項１０】
上記蓄電池には、上記低勾配領域においてリチウムと二相共存反応が生じる上記活物質が用いられている、請求項９に記載の電源システム。
【発明の詳細な説明】
【技術分野】
【０００１】
本発明は、蓄電池と、該蓄電池の充放電を制御する制御部とを備える電源システムに関する。
【背景技術】
【０００２】
従来から、蓄電池と、該蓄電池の充放電を制御する制御部とを備える電源システムが知られている（下記特許文献１参照）。上記蓄電池には、例えばリチウムイオン二次電池のように、正電極と負電極との一対の電極と、該電極を構成する活物質に脱挿入される金属原子（リチウム）とを有するものがある。
【０００３】
蓄電池を充放電すると、金属原子が活物質に脱挿入され、活物質内における金属原子の濃度が変化する。これに伴って、活物質の電位が変化する。上記蓄電池では、正電極と負電極の電位の差が、出力電圧になる。
【０００４】
近年、活物質の電位勾配（充電率を変化させたときの電位の変化率：図４参照）が小さい蓄電池の開発が進められている。このような蓄電池は、活物質の電位勾配が小さいため、充放電しても出力電圧が大きく変化しにくいという特徴がある。
【先行技術文献】
【特許文献】
【０００５】
【特許文献１】特開２０１６−１４３５４６号公報
【発明の概要】
【発明が解決しようとする課題】
【０００６】
しかしながら、本発明者らが検討した結果、上記蓄電池は、大電流で充放電した場合等に、可逆的な特性劣化が生じる可能性があることが分かった。すなわち、大電流で充放電した場合等には、活物質内における金属原子の濃度が不均一になることがある（図５参照）。この場合、活物質の電位勾配が小さいため、金属原子の濃度が高い部位と低い部位との間に高い電位差が発生せず、この電位差を小さくしようとする力が生じにくい。そのため、活物質内における金属原子の濃度ばらつきが小さくなる局部電池反応が起こりにくい。この状態では、蓄電池を効率的に充放電しにくくなる。
【０００７】
本発明は、かかる課題に鑑みてなされたものであり、蓄電池の可逆的な特性劣化を回復できる電源システムを提供しようとするものである。
【課題を解決するための手段】
【０００８】
本発明の一態様は、蓄電池（２）と、
該蓄電池の充放電を制御する制御部（３）とを備え、
上記蓄電池は、それぞれ活物質（４０）を含む、正電極（４P）と負電極（４N）との一対の電極（４）を備え、該一対の電極のうち少なくとも一方の上記電極を構成する上記活物質には、上記蓄電池の充電率（ＳＯＣ）を変化させたときにおける電位（Ｖ）の変化率である電位勾配が相対的に高い高勾配領域（ＡH）と、該高勾配領域よりも上記電位勾配が低い低勾配領域（ＡL）とがあり、
上記蓄電池は、上記充電率が上記低勾配領域に対応する低勾配充電率（ＳＯＣL）であるとき、可逆的な特性劣化が生じ、上記充電率を上記高勾配領域に対応する高勾配充電率（ＳＯＣH）にすると上記特性劣化が回復し、
上記制御部は、上記蓄電池の充放電を制御することにより、上記充電率を上記低勾配充電率から上記高勾配充電率に変化させ、上記特性劣化を回復させる回復処理を行うよう構成されている、電源システム（１）にある。
【発明の効果】
【０００９】
上記電源システムの制御部は、上記回復処理を行うよう構成されている。この回復処理では、蓄電池の充放電を制御し、充電率を上記低勾配充電率から上記高勾配充電率に変化させる。
このようにすると、活物質を上記低勾配領域から高勾配領域に移すことができる。高勾配領域では、電位勾配が低勾配領域より高い（図４参照）。そのため、活物質内における金属原子の濃度が高い部位と、低い部位との間に、大きな電位差が生じる。したがって、この電位差を小さくするように、活物質内における濃度が高い部位から電解液に金属原子が脱離すると同時に、電解液から活物質内における濃度が低い部位に金属原子が挿入される局部電池反応が起こり、濃度ばらつきが小さくなる。そのため、蓄電池の可逆的な特性劣化を回復させることができる。
【００１０】
以上のごとく、本態様によれば、蓄電池の可逆的な特性劣化を回復できる電源システムを提供することができる。
なお、特許請求の範囲及び課題を解決する手段に記載した括弧内の符号は、後述する実施形態に記載の具体的手段との対応関係を示すものであり、本発明の技術的範囲を限定するものではない。
【図面の簡単な説明】
【００１１】
【図１】実施形態１における、電源システムの回路図。
【図２】実施形態１における、放電中の蓄電池の概念図。
【図３】実施形態１における、充電中の蓄電池の概念図。
【図４】実施形態１における、正電極および負電極の、電位Ｖと充電率ＳＯＣとの関係を表したグラフ。
【図５】実施形態１における、一次的劣化状態にある蓄電池の概念図。
【図６】図５の状態を簡略的に表した図。
【図７】実施形態１における、回復処理を行う際の、制御部のフローチャート。
【図８】実施形態１における、蓄電池が一次的劣化状態であるか否かを判断する際の、制御部のフローチャート。
【図９】実施形態１における、蓄電池の劣化率と温度との関係を表したグラフ。
【図１０】実施形態１における、回復後の蓄電池の概念図。
【図１１】実施形態２における、制御部のフローチャート。
【図１２】実施形態３における、蓄電池の電圧と時間との関係を表したグラフ。
【図１３】実施形態３における、制御部のフローチャート。
【図１４】実施形態４における、制御部のフローチャート。
【図１５】実施形態５における、制御部のフローチャート。
【図１６】実施形態６における、制御部のフローチャート。
【図１７】実施形態７における、制御部のフローチャート。
【図１８】実施形態８における、電源システムの回路図。
【図１９】実施形態８における、制御部のフローチャート。
【図２０】実施形態９における、電圧と充電率の時間変化を表したグラフ。
【図２１】実施形態９における、電源システムの回路図。
【図２２】実施形態９における、制御部のフローチャート。
【図２３】実施形態１０における、活物質の電位と充電率との関係を表したグラフ。
【図２４】実施形態１１における、制御部のフローチャート。
【図２５】実施形態１２における、制御部のフローチャート。
【図２６】実施形態１３における、制御部のフローチャート。
【図２７】実施形態１４における、制御部のフローチャート。
【図２８】実施形態１５における、制御部のフローチャート。
【発明を実施するための形態】
【００１２】
（実施形態１）
上記電源システムに係る実施形態について、図１〜図１０を参照して説明する。図１に示すごとく、本形態の電源システム１は、蓄電池２と、制御部３とを備える。制御部３は、蓄電池２の充放電を制御する。
【００１３】
図２に示すごとく、蓄電池２は、正電極４Pと負電極４Nとの一対の電極４を備える。これらの電極４は、それぞれ活物質４０を有する。一対の電極４P，４Nのうち一方の電極４（本形態では負電極４N）を構成する活物質４０Nには、図４に示すごとく、高勾配領域ＡHと低勾配領域ＡLとがある。高勾配領域ＡHは、蓄電池２の充電率ＳＯＣを変化させたときにおける電位Ｖの変化率である電位勾配が相対的に高い領域である。また、低勾配領域ＡLは、高勾配領域ＡHよりも電位勾配が低い領域である。すなわち、図４において、曲線の傾きが略０である領域が低勾配領域ＡLであり、傾きが急峻な領域が高勾配領域ＡHである
【００１４】
蓄電池２は、充電率ＳＯＣが低勾配領域ＡLに対応する低勾配充電率ＳＯＣLであるとき、可逆的な特性劣化が生じる。すなわち、図５に示すごとく、活物質４０N内における金属原子（リチウム原子）の濃度ばらつきが生じ、蓄電池２に、充電率ＳＯＣが高い部分と低い部分とが生じる。この特性劣化は、充電率ＳＯＣを上記高勾配充電率ＳＯＣHにすると回復する。すなわち、高勾配領域ＡHでは電位勾配が高い（図４参照）ため、金属原子の濃度が高い部分と低い部分との間に、高い電位差が生じる。したがって、この電位差が小さくなるように金属原子が電極４内を移動し、蓄電池２の可逆的な特性劣化が回復する。
【００１５】
制御部３（図１参照）は、蓄電池２の充放電を制御することにより、充電率ＳＯＣを低勾配充電率ＳＯＣLから高勾配充電率ＳＯＣHに変化させる。これにより、蓄電池２の特性劣化を回復させる。
【００１６】
本形態の電源システム１は、車両に搭載するための、車載用電源システムである。また、本形態の蓄電池２は、リチウムイオン二次電池である。図１に示すごとく、車両には、補助電源１４と、スタータ１５と、エアコン等の補機１３と、発電機１２と、スイッチＳＷ１〜ＳＷ３とが搭載されている。補助電源１４は鉛バッテリーである。スタータ１５は、図示しないエンジンを始動するために設けられている。
【００１７】
また、車両には、図示しないインバータと、三相交流モータとが搭載されている。本形態では、インバータを用いて、蓄電池２から供給される直流電力を交流電力に変換し、三相交流モータを駆動している。これにより、車両を走行させている。
【００１８】
電源システム１は、上記蓄電池２と制御部３の他に、電圧センサ５V、電流センサ５I、温度センサ５T、タイマー１９を備える。また、制御部３は、車両に搭載された上位ＥＣＵに接続している。制御部３は、上記スイッチＳＷ１〜ＳＷ３のオンオフ動作を制御する。これにより、蓄電池２の充放電を制御している。充電時には、第１スイッチＳＷ１をオンする。これにより、発電機１２を用いて蓄電池２を充電する。また、放電時には、第２スイッチＳＷ２及び第３スイッチＳＷ３をオンする。これにより、蓄電池２に蓄えられた電力を補助電源１４に移し、蓄電池２を放電する。
【００１９】
また、蓄電池２は、図２に示すごとく、正電極４Pと、負電極４Nと、これらの間に介在したセパレータ２０と、電解液２１とを備える。正電極４P及び負電極４Nは、それぞれ活物質４０を備える。放電時には、図２に示すごとく、リチウムが負電極４Nから放出され、セパレータ２０を通って正電極４Pに移る。このとき、負電極４Nから電子が流れ、正電極４Pは電子を受け取る。図２に示すごとく、充電率ＳＯＣが高い場合は、負電極４Nの方が正電極４Pよりもリチウム濃度が高い。
【００２０】
充電時には、図３に示すごとく、リチウムが正電極４Pから放出され、セパレータ２０を通って負電極４Nに移る。このとき、正電極４Pから電子が流れ、負電極４Nは電子を受け取る。図３に示すごとく、充電率ＳＯＣが低い場合は、正電極４Pの方が負電極４Nよりもリチウム濃度が高い。
【００２１】
図４に示すごとく、負電極４Nを構成する活物質４０Nは、低勾配領域ＡLにおいて、電位勾配が略０になっている。本形態では、負電極４Nの活物質４０Nとして、チタン酸リチウムを用いている。蓄電池２を使用する場合は、制御部３は、充電率ＳＯＣが低勾配充電率ＳＯＣLになるように制御する。
【００２２】
蓄電池２を大電流で充放電すると、充放電を繰り返すうちに、図５、図６に示すごとく、活物質４０P，４０N内におけるリチウム濃度にばらつきが生じる。そのため、蓄電池２内に、充電率ＳＯＣのばらつきが生じる。上述したように、低勾配領域ＡLでは電位勾配が小さいため、リチウム濃度が高い部位と低い部位との間に高い電位差が生じにくい。そのため、電位差が小さくなるようにリチウム原子が移動する力が生じにくく、濃度ばらつきが低減しにくい。したがって本形態では、リチウム濃度のばらつきが発生したとき、すなわち蓄電池２に可逆的な特性劣化が生じたときに、充電率ＳＯＣを高勾配充電率ＳＯＣHにし、蓄電池２を回復させている。
【００２３】
なお、図９に示すごとく、可逆的な特性劣化は、温度Ｔが低いほど生じやすい。すなわち、温度Ｔが低くなると、リチウムが電極４内を移動しにくくなるため、リチウム濃度のばらつきが低減しにくい。温度Ｔが高くなると、リチウムが電極４内を移動しやすくなるため、リチウム濃度のばらつきが低減しやすい。すなわち、可逆的な特性劣化が回復しやすい。しかしながら、温度Ｔが高くなりすぎると、電解液２１等が分解しやすくなる。つまり、不可逆的な特性劣化が生じやすくなる。
【００２４】
次に、制御部２のフローチャートについて説明する。図７に示すごとく、制御部２は、まずステップＳ１を行う。ここでは、回復処理を行う指示があったか否かを判断する。ここでＹｅｓと判断された場合はステップＳ２に移る。ステップＳ２では、充電率ＳＯＣの目標値を、低勾配充電率ＳＯＣLから高勾配充電率ＳＯＣHに変更する。
【００２５】
次いでステップＳ３に移る。ここでは、蓄電池２を充電または放電させ、充電率ＳＯＣを高勾配充電率ＳＯＣHにする。その後、ステップＳ４に移る。ここでは、一定時間経過したか否かを判断する。すなわち、ステップＳ４では、蓄電池２を高勾配充電率ＳＯＣHにした状態で一定時間放置する。このようにすると、リチウムが電極４内を充分に移動し、蓄電池２の特性劣化を回復させることができる。
【００２６】
その後、ステップＳ５に移る。ここでは、充電率ＳＯＣの目標値を、高勾配充電率ＳＯＣHから低勾配充電率ＳＯＣLに戻す。そして、ステップＳ６に移る。ステップＳ６では、蓄電池２を充電または放電させ、充電率ＳＯＣを低勾配充電率ＳＯＣLにする。
【００２７】
次に、図８を用いて、回復処理を行うべきか否かを判断する際のフローチャート、すなわち、図７のステップＳ１を行う際のフローチャートの説明をする。上記判断を行う際、図８に示すごとく、制御部３はまず、ステップＳ７を行う。ここでは、充放電量Ｉｔを測定する。すなわち、蓄電池２を充電したり放電したりするとき、電流センサ５I（図１参照）を用いて電流Ｉを測定し、この電流Ｉの値に、電流Ｉが流れた時間ｔを乗ずる。これにより、蓄電池２を充放電したときに移動した電荷量（すなわち充放電量Ｉｔ）を算出する。
【００２８】
次に、ステップＳ８に移る。ここでは、充放電量Ｉｔを積算する。そして、ステップＳ９に移る。ここでは、充放電量Ｉｔの積算値ΣＩｔが、予め定められた閾値ＨTHを超えたか否かを判断する。ここでＮｏと判断した場合はステップＳ７に戻る。また、Ｙｅｓと判断した場合はステップＳ１０に戻り、回復処理を行う指示を出す。そして、ステップＳ１１に移り、積算値ΣＩｔをリセットする。
【００２９】
蓄電池２は、充放電を繰り返すと、電極４内におけるリチウムの濃度ばらつきが次第に大きくなり、可逆的な特性劣化が生じやすくなる。したがって、充放電量Ｉｔの積算値ΣＩｔを指標にすれば、蓄電池２の可逆的な特性劣化が生じているか否かを判断することができる。
【００３０】
次に、本形態の作用効果について説明する。本形態の制御部３は、上記回復処理を行うよう構成されている。この回復処理では、蓄電池２の充放電を制御し、充電率ＳＯＣを低勾配充電率ＳＯＣLから高勾配充電率ＳＯＣHに変化させる。
このようにすると、活物質４０を低勾配領域ＡLから高勾配領域ＡHに移すことができる。高勾配領域ＡHでは、電位勾配が低勾配領域ＡLより高い（図４参照）。そのため、活物質４０内における金属原子（すなわちリチウム）の濃度が高い部位と、低い部位との間に、大きな電位差が生じる。したがって、この電位差を小さくするように金属原子が電極４内を移動し、濃度ばらつきが小さくなる。そのため、蓄電池２の可逆的な特性劣化を回復させることができる。
【００３１】
また、本形態の制御部３は、蓄電池２の使用時には、充電率ＳＯＣを低勾配充電率ＳＯＣLにするよう制御している。制御部３は、図７に示すごとく、回復処理を行って充電率ＳＯＣを高勾配充電率ＳＯＣHにした（ステップＳ２〜Ｓ４）後、充電率ＳＯＣを低勾配充電率ＳＯＣLに戻す（ステップＳ５，Ｓ６）よう構成されている。
蓄電池２を高勾配充電率ＳＯＣHにしたまま長時間放置すると、電解液２１が分解する等の問題が生じ、非可逆的な特性劣化が生じる可能性がある。本形態のように、高勾配充電率ＳＯＣHにした後、低勾配充電率ＳＯＣLに戻せば、蓄電池２の非可逆的な特性劣化を抑制することができる。また、蓄電池２を低勾配充電率ＳＯＣLにしておけば、次に蓄電池２を使用するとき、すぐに使用を開始することができる。
【００３２】
また、上記蓄電池２の可逆的な特性劣化は、活物質４０における金属原子の偏りに起因するものである。
活物質４０における金属原子の偏りは、活物質４０を上記低勾配領域ＡLから上記高勾配領域ＡHにすれば、金属原子の濃度が高い部分と低い部分との間に高い電位差が生じるため、容易に均一にすることができる。すなわち、可逆的な特性劣化を容易に回復させることができる。
【００３３】
また、本形態の制御部３は、過去における蓄電池２の充放電量Ｉｔを積算する積算部３０（図１参照）を備える。制御部３は、充放電量Ｉｔの積算値ΣＩｔが予め定められた値ＨTHを超えた場合に、回復処理を行うよう構成されている。
充放電を繰り返すと、活物質４０内における金属原子の濃度ばらつきが次第に大きくなる。したがって、充放電量Ｉｔの積算値ΣＩｔが閾値ＨTHを超えたか否かを判断すれば、蓄電池２の可逆的な特性劣化が生じているか否か、すなわち回復処理を行うべきか否かを容易に判断することができる。
【００３４】
また、本形態の蓄電池２は、充放電に伴って、金属原子が活物質４０内に脱挿入されるよう構成されている。
このような蓄電池２は、大電流で充放電した場合等に、活物質４０内における金属原子の濃度ばらつきが大きくなりやすい。つまり、可逆的な特性劣化が生じやすい。そのため、本形態のように、特性劣化を回復させる処理を行うようにした効果は大きい。
【００３５】
また、本形態の蓄電池２は、リチウムイオン二次電池である。
リチウムイオン二次電池は、大電流で充放電した場合等に、活物質４０内においてリチウム原子の濃度ばらつきが特に大きくなりやすい。そのため、本形態のように、特性劣化を回復させる処理を行うようにした効果は大きい。
【００３６】
また、本形態では、低勾配領域ＡLにおいてリチウムと二相共存反応が生じる活物質４０を用いている。
リチウムと二相共存反応が生じる活物質４０を用いると、電位勾配が平坦になりやすい（図４参照）。そのため、充放電を行っても出力電圧が変化しにくくなる。しかしながら、上記活物質４０は電位勾配が小さいため、リチウム濃度が高い部位と低い部位との間で大きな電位差が生じにくい。したがって、リチウムの濃度ばらつきが低減せず、蓄電池２の可逆的な特性劣化が生じやすい。そのため本形態のように、特性劣化を回復させる処理を行うようにした効果は大きい。
【００３７】
また、本形態では、高勾配領域ＡHと低勾配領域ＡLとを有する活物質４０（４０N）として、チタン酸リチウムを用いている。
チタン酸リチウムは、低勾配領域ＡLにおける電位勾配が特に小さい。そのため、本形態を適用した場合の効果が特に大きい。
【００３８】
なお、本形態では、上記活物質４０としてチタン酸リチウムを用いているが、本発明はこれに限るものではない。すなわち、例えば、オリビン構造を有するリン酸化合物や、黒鉛を用いることもできる。
【００３９】
また、本形態では、正電極４Pと負電極４Nとのうち、負電極４Nのみ、２つの領域ＡL，ＡHを有し可逆的な特性劣化が生じ得る活物質４０を用いたが、本発明はこれに限るものではない。すなわち、正電極４Pに、このような活物質４０を用いてもよいし、正電極４Pと負電極４Nとの双方に用いても良い。
【００４０】
以上のごとく、本形態によれば、蓄電池の可逆的な特性劣化を回復できる電源システムを提供することができる。
【００４１】
なお、蓄電池２が可逆的な特性劣化要因となる充電率ＳＯＣのばらつきを生じているか否かは、ＸＡＦＳ、ＸＡＮＥＳ、ＥＸＡＦＳ等を用いて確認することができる。
【００４２】
以下の実施形態においては、図面に用いた符号のうち、実施形態１において用いた符号と同一のものは、特に示さない限り、実施形態１と同様の構成要素等を表す。
【００４３】
（実施形態２）
本形態は、回復処理を行うか否かを判断する際のフローチャートを変更した例である。図１１に示すごとく、本形態では、まずステップＳ２１を行う。ここでは、充放電量Ｉｔと、蓄電池２の抵抗Ｒと、充放電したときにおける蓄電池２の温度Ｔとを測定する。充放電量Ｉｔは、実施形態１と同様に、蓄電池２を充放電したときに移動した電荷量である。また、抵抗Ｒは、蓄電池２を充放電したときにおける、正電極４Pと負電極４Nとの間の電気抵抗（すなわち内部抵抗）である。抵抗Ｒは、電圧センサ５V（図１参照）と電流センサ５Iとによって、電極４P，４N間の電圧Ｖ及び電流Ｉを測定し、下記式を用いて算出することができる。
Ｒ＝Ｖ／Ｉ
【００４４】
図１１に示すごとく、ステップＳ２１を行った後、ステップＳ２２に移る。ここでは、抵抗Ｒと温度Ｔとを用いて充放電量Ｉｔを補正し、その補正値Ｉｔ×Ｒ（Ｔ）を積算する。この積算は、上記積算部３０（図１参照）により行う。ステップＳ２２の後、ステップＳ２３に移る。
【００４５】
ステップＳ２３では、補正値の積算値Σ（Ｉｔ×Ｒ（Ｔ））が、予め定められた閾値ＨTHを超えたか否かを判断する。ここでＮｏと判断した場合はステップＳ２１に戻る。また、Ｙｅｓと判断した場合は、ステップＳ２４に移り、回復処理を行う指示を出す。その後、積算値をリセットする。
【００４６】
本形態の作用効果について説明する。上述のようにすると、回復処理を行うべきか否かの判断を正確に行うことができる。すなわち、抵抗Ｒが高いときに充放電を行うと、無理に電流を流すことになり、蓄電池２に可逆的な特性劣化が生じやすくなる。そのため、充放電量Ｉｔに抵抗Ｒ乗じ、これを積算した値が閾値ＨTHを超えたか否かを判断すれば、可逆的な特性劣化が生じているか否かをより正確に判断することができる。なお、抵抗Ｒは温度依存性があるため、本形態では、抵抗Ｒを温度Ｔによって補正し、その補正した値Ｒ（Ｔ）を充放電量Ｉｔに乗じている。
その他、実施形態１と同様の構成および作用効果を備える。
【００４７】
（実施形態３）
本形態は、制御部３の構成を変更した例である。蓄電池２の充放電を開始し、電流Ｉを流すと、電極４P，４N間の電圧Ｖは図１２に示すように変化する。同図に示すごとく、電圧Ｖは、第１電圧ΔＶaと、第２電圧ΔＶbと、第３電圧ΔＶcとに分類することができる。第１電圧ΔＶａは、配線等に寄生した抵抗Ｒaに起因するものである。すなわち、配線等に電流Ｉが流れ、電位差（＝ＲaＩ）が生じる。この電位差が第１電圧ΔＶaである。第１電圧ΔＶaは、配線等の抵抗Ｒaに起因するため、充放電を開始した後、短時間で上昇する。例えば、充放電を開始した後、０．１秒後の電位差を第１電圧ΔＶaとして測定することができる。この第１電圧ΔＶaを用いて、下記式から、配線抵抗Ｒaを算出することができる。
Ｒa＝ΔＶa／Ｉ
【００４８】
また、第２電圧ΔＶbは、リチウム（金属原子）が活物質４０内を移動し、これによって生じた電流Ｉに起因する電圧である。リチウムが活物質４０内を移動するには数秒程度の時間がかかる。そのため、例えば充放電を開始した後、１秒後の電位差を第２電圧ΔＶbとして測定することができる。この第２電圧ΔＶｂと電流Ｉとから、活物質４０の抵抗Ｒb（＝ΔＶb／Ｉ）を算出することができる。
【００４９】
第３電圧ΔＶcは、リチウムが電解液内を移動し、これによって電流Ｉが流れたことに起因する電圧である。リチウムが電解液内を移動するには数秒から数１０秒程度の時間がかかる。そのため、例えば充放電を開始した後、１０秒後の電位差を第３電圧ΔＶcとして測定することができる。この第３電圧ΔＶcと電流Ｉとから、電解液の抵抗Ｒc（＝ΔＶc／Ｉ）を算出することができる。
【００５０】
次に、蓄電池２の回復処理を行うべきか否かを判断する際のフローチャートについて説明する。図１３に示すごとく、制御部３は、まずステップＳ３１を行う。ここでは、充放電量Ｉｔと、配線抵抗Ｒaと、活物質抵抗Ｒbと、電解液抵抗Ｒcと、温度Ｔとを測定する。
【００５１】
その後、ステップＳ３２に移る。ここでは、抵抗Ｒa，Ｒb，Ｒcと温度Ｔとを用いて充放電量Ｉｔを補正し、その補正値Ｉｔ×（Ｒa（Ｔ）＋Ｒb（Ｔ）＋Ｒc（Ｔ））を積算する。補正する際、抵抗Ｒa，Ｒb，Ｒc毎に、温度Ｔによる補正係数を変える。
【００５２】
ステップＳ３２を行った後、ステップＳ３３に移る。ここでは、積算値Σ｛Ｉｔ×（Ｒa（Ｔ）＋Ｒb（Ｔ）＋Ｒc（Ｔ））｝が予め定められた値ＨTHを超えたか否かを判断する。ここでＮｏと判断した場合はステップＳ３１に戻り、Ｙｅｓと判断した場合はステップＳ３４に移る。ステップＳ３４では、回復処理を行う指示を出す。その後、ステップＳ３５に移り、積算値をリセットする。
【００５３】
本形態の作用効果について説明する。本形態では、蓄電池２の抵抗Ｒを、配線抵抗Ｒaと活物質抵抗Ｒbと電解液抵抗Ｒcとに分け、これらの抵抗Ｒa，Ｒb，Ｒcをそれぞれ温度Ｔによって補正している。
このようにすると、回復処理を行う必要があるか否かを正確に判断することができる。すなわち、抵抗Ｒa，Ｒb，Ｒcは、それぞれ温度依存性が異なる。そのため、抵抗Ｒを３つ（Ｒa，Ｒb，Ｒc）に分けて測定すれば、各抵抗Ｒa，Ｒb，Ｒcを温度Ｔによって別々に補正できる。したがって、温度補正をした各抵抗Ｒa（Ｔ），Ｒb（Ｔ），Ｒc（Ｔ）を用いて、充放電量Ｉｔを正確に補正でき、その補正値の積算値が閾値ＨTHを超えたときに、回復処理を行う必要があると正確に判断することができる。
その他、実施形態１と同様の構成および作用効果を備える。
【００５４】
（実施形態４）
本形態は、回復処理を行うべきか否かの判断を行う際のフローチャートを変更した例である。図１４に示すごとく、本形態の制御部３は、まずステップＳ４１を行う。ここでは、充放電量Ｉｔ、抵抗Ｒ、温度Ｔを測定する。
【００５５】
その後、ステップＳ４２に移る。ここでは、測定した温度Ｔを、下記式を用いて修正する。
Ｔ’＝Ｔ＋ＶＩ／Ｃ
上記式において、ＶＩは蓄電池２の発熱量、Ｃは蓄電池２の熱容量である。温度センサ５T（図１参照）は蓄電池２の外面に取り付けられているため、蓄電池２の内部の温度は、温度センサ５Tによって正確に測定できない。そのため本形態では、上記式を用いて、測定した温度Ｔを補正し、蓄電池２の内部の温度（修正温度Ｔ’）を算出している。
【００５６】
ステップＳ４２の後、ステップＳ４３に移る。ここでは、抵抗Ｒと修正温度Ｔ’とを用いて充放電量Ｉｔを補正し、その補正値Ｉｔ×Ｒ（Ｔ’）を積算する。その後、ステップＳ４４に移る。ここでは、補正値の積算値Σ（Ｉｔ×Ｒ（Ｔ’））が閾値ＨTHを超えたか否かを判断する。ここでＮｏと判断した場合はステップＳ４１に戻る。また、Ｙｅｓと判断した場合はステップＳ４５に移り、回復処理を行う指示を出す。その後、ステップＳ４６に移り、積算値をリセットする。
【００５７】
本形態の作用効果について説明する。本形態では、温度センサ５Tによって測定した温度Ｔを修正し、その修正値Ｔ’と抵抗Ｒとを用いて、充放電量Ｉｔを補正する。したがって、充放電量Ｉｔを正確に補正でき、その補正値の積算値が閾値ＨTHを超えたときに、回復処理を行う必要があると正確に判断することができる。
その他、実施形態１と同様の構成および作用効果を備える。
【００５８】
（実施形態５）
本形態は、制御部３のフローチャートを変更した例である。図１５に示すごとく、本形態では、まずステップＳ５１を行う。ここでは、前回の回復処理から、予め定められた時間ｔTHを経過したか否かを判断する。ここでＹｅｓと判断した場合は、ステップＳ５２に移り、回復処理を行う指示を出す。
【００５９】
本形態の作用効果について説明する。上記構成にすると、所定の時間ｔTHを経過したときに回復処理を行わせることができる。そのため、回復処理を行うか否かの判断を容易に行うことができる。
その他、実施形態１と同様の構成および作用効果を備える。
【００６０】
（実施形態６）
本形態は、制御部３のフローチャートを変更した例である。図１６に示すごとく、本形態では、まずステップＳ６１を行う。ここでは、蓄電池２の抵抗Ｒと容量Ｑとを測定する。容量Ｑは、例えば、蓄電池２を完全に放電した状態から充電を開始し、満充電になるまでの時間ｔと電流値Ｉとを用いて算出することができる。
【００６１】
ステップＳ６１の後、ステップＳ６２に移る。ここでは、抵抗劣化率ｒと容量劣化率ｑとを算出する。これらの値は、以下の方法により算出することができる。すなわち、蓄電池２の抵抗Ｒの初期値ＲOと、容量Ｑの初期値ＱOとを、制御部３に記憶させておく。そして、ステップＳ６１において、劣化後の抵抗Ｒと容量Ｑとを測定し、下記式を用いて、各劣化率ｒ，ｑを算出する。
ｒ＝Ｒ／ＲO
ｑ＝Ｑ／ＱO
【００６２】
抵抗劣化率ｒは、蓄電池２の内部抵抗の増加率を反映した値であり、可逆的な特性劣化に対する寄与が比較的小さい。また、容量劣化率ｑは、蓄電池２全体の容量Ｑが劣化したことを反映した値であり、可逆的な特性劣化に対する寄与が比較的大きい。したがって、ｒ／ｑが閾値以下であるか否かを判断することにより、可逆的な特性劣化が生じているか否かを判断することができる。
【００６３】
本形態では、ステップＳ６２を行った後、ステップＳ６３に移り、ｒ／ｑが閾値以下であるか否かを判断している。ここでＮｏと判断した場合はステップＳ６１に戻る。また、Ｙｅｓと判断した場合はステップＳ６４に移り、回復処理を行う指示を出す。
【００６４】
本形態の作用効果について説明する。本形態では、ｒ／ｑを用いて、蓄電池２の可逆的な特性劣化が生じているか否かを判断している。抵抗劣化率ｒ及び容量劣化率ｑは、可逆的な特性劣化に対して敏感に反応する値である。また、蓄電池２の可逆的な特性劣化に対する、各劣化率ｒ，ｑの寄与率は、互いに異なる。そのため、ｒ／ｑを用いることにより、可逆的な特性劣化が生じているか否かを正確に判断することができる。
その他、実施形態１と同様の構成および作用効果を備える。
【００６５】
（実施形態７）
本形態は、制御部３のフローチャートを変更した例である。図１７に示すごとく、本形態では、まずステップＳ７１を行う。ここでは、蓄電池２の劣化量Ｈを算出する。劣化量Ｈは、例えば下記式に示すごとく、充放電量Ｉｔを抵抗Ｒ及び温度Ｔによって補正した値とすることができる。
Ｈ＝Ｉｔ×Ｒ（Ｔ）
【００６６】
上記ステップＳ７１を行った後、ステップＳ７２に移る。ここでは、劣化量Ｈの時間微分値ｄＨ／ｄｔが、予め定められた閾値以上になったか否かを判断する。時間微分値ｄＨ／ｄｔが高い場合は、蓄電池２を大電流で充放電しており、可逆的な特性劣化が生じやすくなる。そのため、時間微分値ｄＨ／ｄｔが閾値以上であるか否かを判断することにより、蓄電池２に可逆的な特性劣化が生じているか否かを正確に判断することができる。
【００６７】
ステップＳ７２においてＮｏと判断したときはステップＳ７１に戻る。また、Ｙｅｓと判断したときはステップＳ７３に移り、回復処理を行う指示を出す。
その他、実施形態１と同様の構成および作用効果を備える。
【００６８】
（実施形態８）
本形態は、電源システム１の回路構成を変更した例である。本形態では図１８に示すごとく、電源システム１に回復指示部６を設けてある。回復指示部６は、ユーザの操作に伴って、回復指示信号ＳRが発生するよう構成されている。本形態の回復指示部６はスイッチである。ユーザが回復指示部６を押圧操作すると、回復指示信号ＳRが発生する。
【００６９】
図１９に、本形態のフローチャートを示す。制御部３は、まず、ステップＳ８１を行う。ここでは、回復指示信号ＳRが入力されたか否かを判断する。ここでＹｅｓと判断した場合は、ステップＳ８２に移り、回復処理を行う。
【００７０】
本形態の作用効果について説明する。上記構成にすると、ユーザが回復処理を行いたいと考えたときに、回復指示部６を操作することによって、いつでも回復処理を行わせることができる。したがって、蓄電池２の可逆的な特性劣化を任意のときに回復させることができる。
その他、実施形態１と同様の構成および作用効果を備える。
【００７１】
（実施形態９）
本形態は、電源システム１の回路構成および制御部３を変更した例である。本形態では実施形態１と同様に、電源システム１を車両に用いている。制御部３は、回復処理を行う指示がされ、かつイグニッションスイッチがオフになっているときに、回復処理を行うよう構成されている。
【００７２】
図２１に示すごとく、本形態の電源システム１は、実施形態１と同様に、蓄電池２と、制御部３と、第１スイッチＳＷ１と、電圧センサ５Vとを備える。電源システム１には、発電機１２と、第２スイッチＳＷ２及び第３スイッチＳＷ３と、補助電源１４と、補機１３と、スタータ１５とが接続している。制御部３は、蓄電池２の回復処理を行う指示がされており、かつイグニッションスイッチ（図示しない）がオフになっているときに、蓄電池２を放電させる。制御部３は、例えばユーザが自宅に戻り、夜間、車両を駐車している場合に、蓄電池２を放電させる。すなわち、充電率ＳＯＣを略０（高勾配充電率ＳＯＣH：図４参照）に変化させ、蓄電池２を回復させる。放電する際は、蓄電池２に蓄えられた電荷を、補助電源１４に移す。
【００７３】
図２０に示すごとく、車両が走行している間（時刻ｔ1〜ｔ2）は、蓄電池２によってインバータやモータ等を稼働しているため、蓄電池２の電圧Ｖが変動する。この期間は、充電率ＳＯＣが比較的高い値に維持されている。また、車両が停車している間（時刻ｔ1〜ｔ2）では、蓄電池２は放電されるため、充電率ＳＯＣ及び電圧Ｖが略０になる。
【００７４】
次に、制御部３のフローチャートの説明をする。図２２に示すごとく、本形態では、先ずステップＳ９１を行う。ここでは、回復処理を行う指示がされたか否かを判断する。ここでＹｅｓと判断した場合はステップＳ９２に移る。
【００７５】
ステップＳ９２では、車両の主機能が停止したか否か、すなわちイグニッションスイッチがオフになっているか否かを判断する。ここでＹｅｓと判断した場合はステップＳ９３に移り、目標電圧ＶOを決定する。目標電圧ＶOは、例えば１．５（Ｖ）程度にすることができる。
【００７６】
ステップＳ９３の後、ステップＳ９４に移る。ここでは、電圧センサ５V（図２１参照）を用いて、蓄電池２の電圧Ｖを測定する。その後、ステップＳ９５に移る。このステップでは、蓄電池２の電圧Ｖが目標電圧ＶOより大きいか否かを判断する。ここでＹｅｓと判断した場合、すなわち電圧Ｖが目標電圧ＶOより大きい場合は、ステップＳ９６に移り、蓄電池２を放電する。そして、ステップＳ９７に移り、所定時間経過したか否かを判断する。その後、ステップＳ９４に戻り、再び電圧Ｖを測定する。また、ステップＳ９５においてＮｏと判断した場合、すなわち電圧Ｖが目標電圧ＶOより低い場合は、終了する。そして、蓄電池２を放電した状態で、車両が次に始動されるまで待機する。これにより、蓄電池２の可逆的な特性劣化を回復させる。
【００７７】
なお、次に車両の走行を開始するときは、補助電源１４を用いてエンジンを始動し、さらに補助電源１４を用いて蓄電池２を充電する。
【００７８】
本形態の作用効果について説明する。本形態では、蓄電池２の回復処理を行う指示がされており、かつイグニッションスイッチがオフになっている場合に、蓄電池２を回復させることができる。したがって、例えば夜間に車両を駐車している間に、蓄電池２を回復させることができる。そのため、比較的長い時間、蓄電池２を放電したまま放置させることができる。したがって、蓄電池２の可逆的な特性劣化を充分に回復させることができる。
その他、実施形態１と同様の構成および作用効果を備える。
【００７９】
（実施形態１０）
本形態は、活物質４０を変更した例である。図２３に示すごとく、本形態では、２つの低勾配領域ＡL1，ＡL2の間に、高勾配領域ＡH（以下、中間高勾配領域ＡHMとも記す）を形成してある。制御部３は、蓄電池２の回復処理を行う場合、中間高勾配領域ＡHMに対応する充電率ＳＯＣHMとなるように、蓄電池２の充放電を制御する。これにより、蓄電池２を回復させる。
【００８０】
上記活物質４０は、複数の材料を混合させることにより、形成することができる。また、本形態では、負電極４Nの活物質４０Nに、低勾配領域ＡL1，ＡL2と中間高勾配領域ＡHMを形成したが、正電極４Pの活物質４０Pにこれらの領域を形成することもできる。このような活物質４０Pは、例えば複数種類のＬｉＭＰＯ4（ＭはＦｅ、Ｍｎ、Ｃｏ、Ｎｉから選択される少なくとも一種）を用意し、これらを混合することにより製造することができる。
その他、実施形態１と同様の構成および作用効果を備える。
【００８１】
（実施形態１１）
本形態は、制御部３のフローチャートを変更した例である。図２４に示すごとく、本形態の制御部３は、まずステップＳ１１１を行う。ここでは、蓄電池２の充電率ＳＯＣを、高勾配充電率ＳＯＣHの近傍の値にする制御を行う。その後、ステップＳ１１２に移る。ここでは、回復処理を行う指示がされたか否かを判断する。ここでＹｅｓと判断した場合は、ステップＳ１１３に移る。
【００８２】
ステップＳ１１３では、充電率ＳＯＣを、高勾配充電率ＳＯＣHにする制御を行う。その後、ステップＳ１１４に移る。ここでは、所定時間経過したか否かを判断する。ステップＳ１１４では、蓄電池２を所定時間、高勾配充電率ＳＯＣHに維持することにより、可逆的な特性劣化を回復させる。
【００８３】
本形態の作用効果について説明する。本形態では、回復処理を行う前に、予め充電率ＳＯＣを、高勾配充電率ＳＯＣHの近傍の値にしておく。そのため、回復処理を行う際に、充電率ＳＯＣをすぐに高勾配充電率ＳＯＣHにすることができる。したがって、回復処理を短時間で行うことが可能になる。
その他、実施形態１と同様の構成および作用効果を備える。
【００８４】
（実施形態１２）
本形態は、制御部３のフローチャートを変更した例である。図２５に示すごとく、本形態の制御部３は、まずステップＳ１２１を行う。ここでは、回復処理を行う指示がされたか否かを判断する。ここでＹｅｓと判断した場合は、ステップＳ１２２に移る。ステップＳ１２２では、複数の高勾配充電率ＳＯＣHのうち、現在の充電率ＳＯＣに最も近い高勾配充電率ＳＯＣHを選択する。例えば、現在の充電率ＳＯＣが９０％である場合（図４参照）、高勾配充電率ＳＯＣHとして１００％を選択する。また、現在の充電率ＳＯＣが１０％である場合、高勾配充電率ＳＯＣHとして０％を選択する。
【００８５】
その後、ステップＳ１２３に移る。ここでは、蓄電池２を充放電して、充電率ＳＯＣを、選択した高勾配充電率ＳＯＣHにする制御を行う。そして、ステップＳ１２４に移り、所定時間経過したか否かを判断する。ステップＳ１２４では、蓄電池２を所定時間、高充電率ＳＯＣHに維持することにより、蓄電池２の可逆的な特性劣化を回復させる。
【００８６】
本発明の作用効果について説明する。上述のようにすると、充電率ＳＯＣを、現在の値から高勾配充電率ＳＯＣHにするための充放電量を少なくすることができる。そのため、電力ロスを低減することができる。
その他、実施形態１と同様の構成および作用効果を備える。
【００８７】
（実施例１３）
本形態は、制御部３のフローチャートを変更した例である。図２６に示すごとく、本形態の制御部３は、まずステップＳ１３１を行う。ここでは、蓄電池２が回復好適使用状態か否かを判断する。例えば、車両が高速道路を走行している状態か否かを判断する。ここでＹｅｓと判断した場合は、ステップＳ１３２に移る。このステップでは、充電率ＳＯＣを高勾配充電率ＳＯＣH（例えば１００％）に変更する。
【００８８】
本形態の作用効果について説明する。車両が高速道路等を走行しているときは、一定速度で走行しているため、充電率ＳＯＣの変動を小さくすることができる。また、比較的長い時間、この状態を維持することができる。したがって、車両が高速道路を走行しているとき等であれば、蓄電池２を高勾配充電率ＳＯＣH（例えば１００％）に長時間、安定して維持でき、可逆的な特性劣化を効率的に回復させることができる。
その他、実施形態１と同様の構成および作用効果を備える。
【００８９】
（実施形態１４）
本形態は、制御部３のフローチャートを変更した例である。図２７に示すごとく、本形態の制御部３は、まずステップＳ１４１を行う。ここでは、車両が回復予定地に接近したか否かを判断する。ここで回復予定地とは、例えばユーザの自宅とすることができる。回復予定地に接近したか否かは、例えば車両に搭載したナビゲーションシステムを用いて判断することができる。また、ユーザによる操作（例えばスイッチを押圧する）を検知したときに、回復予定地に接近したと判断してもよい。
【００９０】
ステップＳ１４１においてＹｅｓと判断した場合は、ステップＳ１４２に移る。ここでは、充電率ＳＯＣを高勾配充電率ＳＯＣHに近い値に変更する。例えば、蓄電池２を用いて三相交流モータ等を駆動させ、充電率ＳＯＣを０％近くまで下げる。その後、ステップＳ１４３に移る。ここでは、回復予定地に当着したか否かを判断する。ここでＹｅｓと判断した場合は、ステップＳ１４４に移り、回復処理を行う。すなわち、充電率ＳＯＣを０％（すなわち高勾配充電率ＳＯＣH）にし、次に車両を使用する時まで待機する。
【００９１】
本形態の作用効果について説明する。上記構成にすると、充電率ＳＯＣを低くした状態で回復予定地に向かうため、回復予定地に当着した後、すぐに回復処理を行うことができる。また、車両走行中に、三相交流モータ等を駆動することによって充電率ＳＯＣを低減できるため、無駄な放電を抑制することができる。
その他、実施形態１と同様の構成および作用効果を備える。
【００９２】
（実施形態１５）
本形態は、制御部３のフローチャートを変更した例である。図２８に示すごとく、本形態の制御部３は、まずステップＳ１５１を行う。ここでは、回復処理を行う指示がされたか否かを判断する。ここでＹｅｓと判断したときは、ステップＳ１５２に移る。ステップＳ１５２では、蓄電池２の温度を所定温度まで上昇させ、かつ充電率ＳＯＣを高勾配充電率ＳＯＣHに変更する。例えば、蓄電池２にヒータを設けておき、このヒータを用いて蓄電池２を加熱しつつ、充電率を高勾配充電率ＳＯＣHに変更する。
【００９３】
その後、ステップＳ１５３に移る。ここでは、一定時間経過したか否かを判断する。ステップＳ１５３では、蓄電池２を高い温度にした状態で、一定時間、高勾配充電率ＳＯＣHに維持することにより、蓄電池２の可逆的な特性劣化を回復させる。ステップＳ１５３でＹｅｓと判断した場合、すなわち一定時間経過した場合は、ステップＳ１５４に移り、温度および充電率ＳＯＣを元の状態に戻す。
【００９４】
本形態の作用効果について説明する。本形態では、回復処理を行う際、蓄電池２の温度を上げた状態で、充電率ＳＯＣを高勾配充電率ＳＯＣHにしている。このようにすると、活物質４０内の金属原子（すなわちリチウム）が熱運動によって移動しやすくなり、金属原子の濃度ばらつきを小さくしやすくなる。そのため、蓄電池２の可逆的な特性劣化を、より効率的に回復させることができる。
その他、実施形態１と同様の構成および作用効果を備える。
【符号の説明】
【００９５】
１  電源システム
２  蓄電池
３  制御部
４  電極
４P  正電極
４N  負電極
４０  活物質
ＡH  高勾配領域
ＡL  低勾配領域
【図１】
2018156744.tif 000003
【図２】
2018156744.tif 000004
【図３】
2018156744.tif 000005
【図４】
2018156744.tif 000006
【図５】
2018156744.tif 000007
【図６】
2018156744.tif 000008
【図７】
2018156744.tif 000009
【図８】
2018156744.tif 000010
【図９】
2018156744.tif 000011
【図１０】
2018156744.tif 000012
【図１１】
2018156744.tif 000013
【図１２】
2018156744.tif 000014
【図１３】
2018156744.tif 000015
【図１４】
2018156744.tif 000016
【図１５】
2018156744.tif 000017
【図１６】
2018156744.tif 000018
【図１７】
2018156744.tif 000019
【図１８】
2018156744.tif 000020
【図１９】
2018156744.tif 000021
【図２０】
2018156744.tif 000022
【図２１】
2018156744.tif 000023
【図２２】
2018156744.tif 000024
【図２３】
2018156744.tif 000025
【図２４】
2018156744.tif 000026
【図２５】
2018156744.tif 000027
【図２６】
2018156744.tif 000028
【図２７】
2018156744.tif 000029
【図２８】
2018156744.tif 000030